【手続補正書】
【提出日】平成21年2月24日(2009.2.24)
【手続補正１】
【補正対象書類名】特許請求の範囲
【補正対象項目名】全文
【補正方法】変更
【補正の内容】
【特許請求の範囲】
【請求項１】
非圧縮で時間的に同期とれた２つの入力ビデオ流を、１つの出力ビデオ流に結合する方法であって、
それぞれ２つあるいはそれ以上のビデオフレームのシーケンスからなる非圧縮の第１ビデオ流と第２ビデオ流から構成される、前記２つの非圧縮の入力ビデオ流を受け、
前記第１ビデオ流のビデオフレームと、これに対応して時間的に協調とれた前記第２ビデオ流のビデオフレームにより、時間的に協調とれた一対のビデオフレームを生成し、
複数の、前記時間的に協調とれた一対のビデオフレームが、前記出力ビデオ流に含まれるように、
前記第２ビデオ流のビデオフレームが、対応する２つあるいはそれ以上の時間的に協調とれたサブフレーム領域に分離され、
３つあるいはそれ以上のビデオタイル領域からなる出力ビデオフレームが作成され、当該ビデオタイル領域の内、１つのビデオタイル領域が前記第１ビデオ流の全てのビデオフレームから構成され、２つあるいはそれ以上のビデオタイル領域が前記第２ビデオ流から構成され、
前記生成された複数の出力ビデオフレームを時系列に順序付け、そして
当該生成され、順序付けされた複数の出力ビデオフレームを前記出力ビデオ流に結合する、
２つの入力ビデオ流を１つの出力ビデオ流に結合する方法。
【請求項２】
前記複数の生成され、順序付けされた出力ビデオフレームを前記出力ビデオ流に結合する方法が、
前記複数の生成され、順序付けされた出力ビデオフレームが、１つの時系列の出力ビデオフレームに結合され、そして
当該時系列の出力ビデオフレームが、ビデオ圧縮アルゴリズムにより圧縮されて、圧縮された時系列の出力ビデオ流が生成される、
請求項１に記載の２つの入力ビデオ流を１つの出力ビデオ流に結合する方法。
【請求項３】
更に、単一のビデオ流を受ける標準的なビデオ記録装置を使用することにより、前記出力ビデオ流を記録する、請求項１に記載の２つの入力ビデオ流を１つの出力ビデオ流に結合する方法。
【請求項４】
更に、単一のビデオ流を受ける標準的なビデオ送信装置を使用することにより、前記出力ビデオ流を送信する、請求項１に記載の２つの入力ビデオ流を１つの出力ビデオ流に結合する方法。
【請求項５】
タイル接合された１つの入力ビデオ流から、時間的に同期とれた２つのビデオ流を出力する方法であって、
複数の入力ビデオフレーム中のそれぞれのフレームが、非圧縮で時系列の２つのビデオ流の２つのビデオフレームからタイル接合された、時系列の入力ビデオフレームで構成される、前記タイル接合された１つの入力ビデオ流を受け、
当該受けた１つの入力ビデオ流中の複数のタイル結合された前記入力ビデオフレームのそれぞれのフレームから、
前記入力ビデオフレーム中、１つのタイル領域を有する第１出力ビデオフレームを抽出し、前記入力ビデオフレーム中、サブフレームからなる２つあるいはそれ以上のタイル領域を抽出し、そして、当該サブフレームからなる２つあるいはそれ以上のタイル領域を、第２出力ビデオフレームに再編成及び結合することにより、第１、第２出力ビデオフレームを生成し、
複数の、前記生成された第１出力ビデオフレームを時系列に順序付けし、
複数の、前記生成された第２出力ビデオフレームを時系列に順序付けし、
当該生成され順序付けされた複数の第１出力ビデオフレームを第１出力ビデオ流に出力し、
当該生成され順序付けされた複数の第２出力ビデオフレームを第２出力ビデオ流に出力する、
２つのビデオ出力流を出力する方法。
【請求項６】
更に、前記第１及び第２出力ビデオ流を、１つあるいはそれ以上の表示入力流に変換し、当該１つあるいはそれ以上の表示入力流を１つあるいはそれ以上の表示装置に表示する、請求項５に記載の２つのビデオ出力流を出力する方法。
【請求項７】
更に、前記第１出力ビデオ流を第１表示入力流に変換し、前記第２出力ビデオ流を第２表示入力流に変換し、それぞれの表示入力流を、１つあるいはそれ以上の分離された表示装置に表示する、請求項５に記載の２つのビデオ出力流を出力する方法。
【請求項８】
更に、表示器の選択入力に応じて、前記２つの出力ビデオ流の内１つを選択し、当該選択された出力ビデオ流を表示入力流に変換して、当該表示入力流を表示装置に表示する、請求項５に記載の２つのビデオ出力流を出力する方法。
【請求項９】
更に、前記第１ビデオ出力流から複数の第１ビデオフレームを抽出し、
前記第２ビデオ出力流から複数の第２ビデオフレームを抽出し、
前記第１ビデオ出力流から抽出した、前記複数の第１ビデオフレーム中のそれぞれの第１ビデオフレームに対して、
前記第２ビデオ出力流から抽出した、時間的に協調した第２ビデオフレームを識別し、
前記第１ビデオフレームと前記時間的に協調した第２ビデオフレームを、前記第１及び第２出力フレームを隣接するサブフレームとして１つの前記ビデオフレームに編集、結合し、そして
１つの前記結合されたビデオフレームのサブフレーム領域を、表示器の位置の入力に応じて表示する、請求項５に記載の２つのビデオ出力流を出力する方法。
【請求項１０】
更に、２つの前記出力ビデオ流を１つの３次元表示入力流に変換し、当該３次元表示入力流を立体表示器に表示する、請求項５に記載の２つのビデオ出力流を出力する方法。
【請求項１１】
２つの前記入力ビデオ流のそれぞれの、２つあるいはそれ以上の前記ビデオフレームがそれぞれ、1280ｘ720のピクセル画像であり、前記出力ビデオフレームのそれぞれが1920ｘ1080のピクセル画像である、請求項１に記載の２つの入力ビデオ流を１つの出力ビデオ流に結合する方法。
【請求項１２】
２つの前記入力ビデオ流のそれぞれの、２つあるいはそれ以上の前記ビデオフレームがそれぞれ、ＡＴＳＣ(アドバンスド・テレビジョンシステムズ・コミッティ）又はＳＭＰＴＥ(映画及びテレビジョンエンジニアのソサヤティ）標準の1280ｘ720のピクセル画像であり、前記出力ビデオフレームのそれぞれが、ＡＴＳＣ又はＳＭＰＴＥの標準の1920ｘ1080のピクセル画像である、請求項１に記載の２つの入力ビデオ流を１つの出力ビデオ流に結合する方法。
【請求項１３】
２つの前記入力ビデオ流のそれぞれの、２つあるいはそれ以上の前記ビデオフレームがそれぞれ、640ｘ480のピクセル画像であり、前記出力ビデオフレームのそれぞれが1280ｘ720のピクセル画像である、請求項１に記載の２つの入力ビデオ流を１つの出力ビデオ流に結合する方法。
【請求項１４】
２つの前記入力ビデオ流それぞれの２つあるいはそれ以上の前記ビデオフレームがそれぞれ、ＡＴＳＣ(アドバンスド・テレビジョンシステムズ・コミッティ）又はＳＭＰＴＥ(映画及びテレビジョンエンジニアのソサヤティ）標準の640ｘ480のピクセル画像であり、前記出力ビデオフレームがそれぞれ、ＡＴＳＣ又はＳＭＰＴＥの標準の1280ｘ720のピクセル画像である、請求項１に記載の２つの入力ビデオ流を１つの出力ビデオ流に結合する方法。
【請求項１５】
前記ビデオ圧縮アルゴリズムが、ＭＰＥＧ−２、ＭＰＥＧ−４、又はＷＭ−９である、請求項２に記載の２つの入力ビデオ流を１つの出力ビデオ流に結合する方法。
【請求項１６】
少なくとも１つあるいはそれ以上の前記表示装置が、テレビジョン装置、コンピュータモニタ、プロジェクタ、又は立体表示装置である、請求項６に記載の２つのビデオ出力流を出力する方法。
【請求項１７】
前記３次元表示入力流が、１つあるいはそれ以上のアナグリフ、偏光、フィールドインターリーブ又はフレームインターリーブとして知られる３次元フォーマットである、請求項１０に記載の２つのビデオ出力流を出力する方法。
【請求項１８】
非圧縮の時間的に協調した２つのビデオ入力流から、１つの出力ビデオ流を生成する装置であって、
１つあるいはそれ以上のアドレス発生器、制御回路、そして記録装置からなり、当該記録装置が、１つあるいはそれ以上の入力フレームバッファと出力フレームバッファからなり、請求項１に記載の方法を実行することにより１つの出力ビデオ流を生成する装置。
【請求項１９】
請求項１に記載の方法を実行する請求項１８に記載の装置であって、
前記第１ビデオ流のフレーム中のピクセル値を含む、第１入力フレームバッファ中のメモリアドレスに対応する複数のメモリアドレスの第１シーケンスと、前記第２ビデオ流中のフレームのピクセル値を含む、第２入力フレームバッファ中のメモリアドレスが、アドレス発生器より提供され、
前記出力ビデオフレームのピクセル値を含む、出力フレームバッファのメモリアドレスに対応する複数のメモリアドレスの第２シーケンスが、アドレス発生器により提供され、そして
前記第１シーケンス中の複数のメモリアドレスの内、それぞれ最初のメモリアドレスから、
前記第１シーケンス中のメモリアドレスにより前記記録装置から１つあるいはそれ以上のピクセル値を取得し、
当該１つあるいはそれ以上の前記記録装置から取得されたピクセル値を、前記第２シーケンスのメモリアドレスから順次１つづつ使用されるアドレスにより前記記録装置に格納する装置。
【請求項２０】
非圧縮の時間的に同期とれた２つのビデオ入力流を、１つのビデオ出力流に結合する指令を含む、コンピュータが読み出せるメディアであって、当該指令が情報処理装置により読み出され、実行されることにより、請求項１に記載の方法を実行することが出来るコンピュータによる読み出しメディア。
【請求項２１】
非圧縮で時間的に同期とれた２つの入力ビデオ流を、１つの出力ビデオ流に結合する方法であって、
前記非圧縮の時間的に同期とれた２つの入力ビデオ流から、時間的に協調とれた第１ビデオフレームと第２ビデオフレームからなる、複数の対のビデオフレームが生成されるステップと、
前記第２ビデオフレームの前記複数の対のビデオフレームのそれぞれが、サブ領域に分離されるステップと、
それぞれの出力フレームが、前記複数の対のビデオフレームに対応し、前記一対の第１ビデオフレームと前記第２ビデオフレームのサブ領域の対からなる、複数の出力ビデオフレームが生成されるステップと、そして
前記複数の出力ビデオフレームから前記出力ビデオ流が生成されるステップと、
からなる、２つの入力ビデオ流を１つの出力ビデオ流に結合する方法。
【手続補正２】
【補正対象書類名】図面
【補正対象項目名】図２
【補正方法】変更
【補正の内容】
【図２】
2007536825.tif 000001